(57)【要約】      （修正有）【課題】部品の共通化と、部品の共通化による原価低減を行う。【解決手段】透光板８後方の化粧パネル４には凹部９を形成し、この凹部９には発光素子１０と連通する複数の穴を設け、前記複数の発光素子１０は上下方向の直線上に等間隔に配置され、発光素子１０から透光板８までの距離は下側の発光素子１０に対応する距離よりも上側の発光素子１０に対応する距離が長く、前記凹部９の幅は下側の発光素子１０に対応する距離よりも上側の発光素子１０に対応する距離を短くしたものである。【選択図】図４
2011185465.tif 000002
【特許請求の範囲】
【請求項１】
室内機の筐体前側を覆う前面パネルを設け、この前面パネルの更に前面側に化粧パネルを、背面側には複数の発光素子を位置させ、この発光素子に対向する前面パネルには表示用の開口部を備え、この開口部に対向する化粧パネルには発光素子の光を透過するとともに拡散する透光板を備え、冷房、暖房、又は除湿の各運転モードに切換可能で、かつ化粧パネルの前面に前記各運転モード毎に表示をする運転表示装置を備えた空気調和機に於いて、前記透光板後方の化粧パネルには凹部を形成し、この凹部には前記発光素子と連通する複数の穴を設け、前記複数の発光素子は上下方向の直線上に等間隔に配置され、発光素子から透光板までの距離は下側の発光素子に対応する距離よりも上側の発光素子に対応する距離が長く、前記凹部の幅は下側の発光素子に対応する距離よりも上側の発光素子に対応する距離を短くしたことを特徴とする表示装置を備えた空気調和機。
【発明の詳細な説明】
【技術分野】
【０００１】
この発明は、空気調和機の運転モード表示用ランプ等に用いられる表示装置に係り、透光板で覆った構造の表示装置に関する。
【背景技術】
【０００２】
従来よりこの種のものでは、冷房、暖房、又は除湿の各運転モードに切換可能な空気調和機の室内機で、この室内機の前面パネルの前下方に吹出口が形成され、この吹出口の上部右側に隣接して表示部が設けられている。この表示部は、気流、除湿、タイマー等の各ランプと、運転ランプとを有している。（例えば、特許文献１参照）
【０００３】
また、図５のように、前面パネルａの背面に上下方向に近接して表示ランプｂが設けられ、この表示ランプｂに対向する化粧パネルｃに備えた透光板ｄとの距離は略一定であるので、ランプ点灯時には透光板ｄに投影されるランプ光はそれぞれ略同じ大きさで見えるものであった。
【先行技術文献】
【特許文献】
【０００４】
【特許文献１】特許第３５５９１２９号公報
【発明の概要】
【発明が解決しようとする課題】
【０００５】
ところでこの従来のものでは、多数の機種に対応する多数の部品が有り、部品の共通化と、部品の共通化による原価低減が必要とされている。
また、金型費や設計の費用を低減するために化粧パネル等の外観のみをデザイン変更することで、新商品を作成する手法が行われるが、デザイン変更によって化粧パネルの形が変更されると、化粧パネルに近接する表示ランプの取付部品も変更されるものであった。
【課題を解決するための手段】
【０００６】
この発明はこの点に着目し、上記欠点を解決する為、特にその構成を、室内機の筐体前側を覆う前面パネルを設け、この前面パネルの更に前面側に化粧パネルを、背面側には複数の発光素子を位置させ、この発光素子に対向する前面パネルには表示用の開口部を備え、この開口部に対向する化粧パネルには発光素子の光を透過するとともに拡散する透光板を備え、冷房、暖房、又は除湿の各運転モードに切換可能で、かつ化粧パネルの前面に前記各運転モード毎に表示をする運転表示装置を備えた空気調和機に於いて、前記透光板後方の化粧パネルには凹部を形成し、この凹部には前記発光素子と連通する複数の穴を設け、前記複数の発光素子は上下方向の直線上に等間隔に配置され、発光素子から透光板までの距離は下側の発光素子に対応する距離よりも上側の発光素子に対応する距離が長く、前記凹部の幅は下側の発光素子に対応する距離よりも上側の発光素子に対応する距離を短くしたものである。
【発明の効果】
【０００７】
この発明によれば、デザイン変更によって化粧パネルの形が変更されて、透光板と発光素子との距離にズレが生じても、化粧パネルに設けた凹部の幅寸法を調整することで、化粧パネルに近接する発光素子の取付部品を共通で使用することができ、この共通化により原価低減をすることができるものである。
【図面の簡単な説明】
【０００８】
【図１】この発明の一実施形態の斜視図。
【図２】同拡大断面図。
【図３】同要部拡大正面図。
【図４】同要部拡大断面図。
【図５】従来例の要部拡大断面図。
【発明を実施するための形態】
【０００９】
次に、この発明に係る空気調和機を図面に示された一実施例で説明する。１はセパレート式空気調和機の室内機で、本体ベース２と前方の前面パネル３によって筐体を形成し、この筐体内には熱交換器（図示せず）と送風ファン等（図示せず）を備えている。
前記前面パネル３の更に前面は着脱自在の化粧パネル４によって覆われている。
【００１０】
また前面パネル３は上面に吸込口５を、底面に吹出口６を備え、前記吸込口５の内側には網目状で着脱自在のエアーフィルタ（図示せず）を左右１対備え、吸込空気に含まれる埃を取り除くものである。
【００１１】
前記熱交換器はフィンチューブ式の熱交換器を使用するものであり、冷房運転時には蒸発器として作用し低温になり、暖房運転時には凝縮器として作用し高温となるものである。
【００１２】
前記送風ファンはクロスフローファンで、熱交換器の内側に配置され、前記吸込口５とエアーフィルタと熱交換器と送風ファンを連通して送風経路（図示せず）を形成している。
【００１３】
前記吹出口６の右側の楕円形はリモコン（図示せず）の受信部７で、使用者が空気調和機の運転・停止や、運転に必要な設定をリモコンから送信して、この受信部７にて受信し空気調和機の運転を行うものである。
【００１４】
前記化粧パネル４は白色のＡＢＳ樹脂で形成され、化粧パネル４の右下側には略正方形で黒色の透光板８が嵌め込まれている。
前記透光板８後方右側の化粧パネル４には縦長の凹部９を形成し、この凹部９の更に後方には３個の発光ダイオードから成る発光素子１０が上下方向の略直線上に等間隔で設けられ、この発光素子１０に対向する凹部９に穴１１が設けられている。
【００１５】
１２は表示基板で、前記発光素子１０とその他電子部品が固定されたプリント基板から成り、発光素子１０の周りには筒状で発光した光が漏れる事を防止するためのカバー１３を備えている。そして、前記表示基板１２は前記本体ベース２側に連なる部品に固定されている。
【００１６】
前記発光素子１０の先端から透光板８の表面までの距離は、上の発光素子１０ａに対応する距離Ａが、中間の発光素子１０ｂに対応する距離Ｂよりも１．２倍大きく、この距離Ｂが下側の発光素子１０ｃに対応する距離Ｃよりも１．２倍大きい位置にあるために、透光板８への透光面積が上に行くほど大きくなり、光の見え方も上に行くほど大きくなることを防止するために、前記凹部９の幅寸法Ｄ・Ｅ・Ｆを上に行くほど小さくすることで、光の広がりを抑え上下３つの発光素子１０の見える大きさを均一にするものであり、上の発光素子１０ａに対応する幅寸法Ｄは、中間の発光素子１０ｂに対応する幅寸法Ｅよりも０．９倍で小さく、この寸法Ｅは下側の発光素子１０ｃに対応する幅寸法Ｆよりも０．９倍で小さくしたものである。
【００１７】
デザイン変更によって化粧パネル４の形が変更されて、透光板８と発光素子１０との距離にズレが生じても、化粧パネル４に設けた凹部９の幅寸法を調整することで、化粧パネルに近接する発光素子１０の取付部品を共通で使用することができ、この共通化により原価低減をすることができるものである。
【符号の説明】
【００１８】
１  室内機
２  本体ベース
３  前面パネル
４  化粧パネル
８  透光板
９  凹部
１０  発光素子
１１  穴
【図１】
2011185465.tif 000003
【図２】
2011185465.tif 000004
【図３】
2011185465.tif 000005
【図４】
2011185465.tif 000006
【図５】
2011185465.tif 000007